(57)【要約】【課題】発光部への紫外線の入射を防ぎ、長期使用においても輝度寿命の低下を抑制することが可能な有機ＥＬパネルを提供する。【解決手段】透光性のガラス基板（支持基板）２上に透明電極（陽極電極）３，少なくとも発光層を有する有機層５及び背面電極（陰極電極）６を順次積層形成してなる有機ＥＬ素子１１から所定の発光部を構成してなる有機ＥＬパネル１に関し、ガラス基板２の表示光の出射面側に、前記発光部への紫外線照射を吸収する紫外線吸収部材１０を配設する。【選択図】  図１
2004199883.tif 000002
【特許請求の範囲】
【請求項１】
透光性の支持基板上に陽極電極，少なくとも発光層を有する有機層及び陰極電極を順次積層形成してなる有機ＥＬ素子から所定の発光部を構成する有機ＥＬパネルであって、
前記支持基板の表示光の出射面側に、前記発光部への紫外線放射エネルギーを少なくとも吸収する紫外線吸収部材を配設してなることを特徴とする有機ＥＬパネル。
【請求項２】
複数のライン状の陽極電極及び陰極電極の各交点位置に少なくとも発光層を含む有機層が前記陽極電極及び前記陰極電極によって挟持されてなる有機ＥＬ素子から所定の表示部を構成する有機ＥＬパネルであって、
前記支持基板の表示光の出射面側に、前記発光部への紫外線放射エネルギーを少なくとも吸収する紫外線吸収部材を配設してなることを特徴とする有機ＥＬパネル。
【請求項３】
前記紫外線吸収部材は、紫外線吸収材を含有するシート部材からなることを特徴とする請求項１もしくは請求項２に記載の有機ＥＬパネル。
【請求項４】
前記紫外線吸収部材は、紫外線吸収剤を含有する塗布部材からなることを特徴とする請求項１もしくは請求項２に記載の有機ＥＬパネル。
【請求項５】
前記紫外線吸収部材は、４５０ｎｍ以下の放射エネルギーを吸収してなることを特徴とする請求項１から請求項４の何れかに記載の有機ＥＬパネル。
【請求項６】
前記支持基板の前記出射面側に、直線偏光板と位相差板とで構成された円偏光手段を配設し、前記円偏光手段上に前記紫外線吸収部材を配設してなることを特徴とする請求項１から請求項４の何れかに記載の有機ＥＬパネル。
【請求項７】
前記支持基板の前記出射面側に、直線偏光板と位相差板とで構成された円偏光手段を配設し、前記円偏光手段と前記支持基板との間に前記紫外線吸収部材を配設してなることを特徴とする請求項１から請求項４の何れかに記載の有機ＥＬパネル。
【請求項８】
前記円偏光手段と前記支持基板との間に配設される前記紫外線吸収部材は、前記円偏光手段と前記支持基板とを接着固定するための接着層によって構成されてなることを特徴とする請求項７に記載の有機ＥＬパネル。
【発明の詳細な説明】
【０００１】
【発明の属する技術分野】
本発明は、透光性の支持基板上に有機ＥＬ（electro luminescence）素子を配設してなる有機ＥＬパネルに関するものである。
【０００２】
【従来の技術】
有機ＥＬパネルとしては、ガラス材料からなるガラス基板（透光性の支持基板）上に、ＩＴＯ（indium tin oxide）等によって陽極となる透明電極（陽極電極）と、正孔注入層，正孔輸送層，発光層及び電子輸送層からなる有機層と、陰極となるアルミニウム（Al）等の非透光性の背面電極（陰極電極）とを順次積層して積層体である有機ＥＬ素子を形成し、この有機ＥＬ素子によって所定の発光部を形成し、前記発光部を覆うガラス材料からなる凹部形状の封止部材を前記ガラス基板上に紫外線硬化性接着剤を介して気密的に配設する構造のものが知られている（特許文献１参照）。
【０００３】
特開２００２−８８５５号公報
【０００４】
【発明が解決しようとする課題】
かかる有機ＥＬパネルの前記有機ＥＬ素子は、前記透明電極及び前記背面電極との電気的な接触をさけるために絶縁層を形成することが一般的である。前記絶縁層はポリイミド系の感光性樹脂から構成されているため、４５０ｎｍ以下の外来入射光（放射エネルギー）で変質し、その変質の際に発生するガスや水分によって前記有機層が犯され、長期使用において発光部が局所的に暗くなり、輝度寿命の低下を促進してしまうといった問題点を有している。
【０００５】
そこで、本発明は、発光部に悪影響を及ぼす外来入射光の入射を防ぎ、長期使用においても輝度寿命の低下を抑制することが可能な有機ＥＬパネルを提供するものである。
【０００６】
【課題を解決するための手段】
本発明は、前記課題を解決するため、請求項１に記載の通り、透光性の支持基板上に陽極電極，少なくとも発光層を有する有機層及び陰極電極を順次積層形成してなる有機ＥＬ素子から所定の発光部を構成する有機ＥＬパネルであって、前記支持基板の表示光の出射面側に、前記発光部への紫外線放射エネルギーを少なくとも吸収する紫外線吸収部材を配設してなるものである。
【０００７】
また、請求項２に記載の通り、複数のライン状の陽極電極及び陰極電極の各交点位置に少なくとも発光層を含む有機層が前記陽極電極及び前記陰極電極によって挟持されてなる有機ＥＬ素子から所定の表示部を構成する有機ＥＬパネルであって、前記支持基板の表示光の出射面側に、前記発光部への紫外線放射エネルギーを少なくとも吸収する紫外線吸収部材を配設してなるものである。
【０００８】
また、請求項３に記載の通り、請求項１もしくは請求項２に記載の有機ＥＬパネルにおいて、前記紫外線吸収部材は、紫外線吸収材を含有するシート部材からなるものである。
【０００９】
また、請求項４に記載の通り、請求項１もしくは請求項２に記載の有機ＥＬパネルにおいて、前記紫外線吸収部材は、紫外線吸収剤を含有する塗布部材からなるものである。
【００１０】
また、請求項５に記載の通り、請求項１から請求項４の何れかに記載の有機ＥＬパネルにおいて、前記紫外線吸収部材は、４５０ｎｍ以下の放射エネルギーを吸収してなるものである。
【００１１】
また、請求項６に記載した通り、請求項１から請求項４の何れかに記載の有機ＥＬパネルにおいて、前記支持基板の前記出射面側に、直線偏光板と位相差板とで構成された円偏光手段を配設し、前記円偏光手段上に前記紫外線吸収部材を配設してなるものである。
【００１２】
また、請求項７に記載したとおり、請求項１から請求項４の何れかに記載の有機ＥＬパネルにおいて、前記支持基板の前記出射面側に、直線偏光板と位相差板とで構成された円偏光手段を配設し、前記円偏光手段と前記支持基板との間に前記紫外線吸収部材を配設してなるものである。
【００１３】
また、請求項８に記載したとおり、請求項７に記載の有機ＥＬパネルにおいて、前記円偏光手段と前記支持基板との間に配設される前記紫外線吸収部材は、前記円偏光手段と前記支持基板とを接着固定するための接着層によって構成されてなるものである。
【００１４】
【発明の実施の形態】
以下、本発明の実施の形態を添付図面に基づき説明する。
【００１５】
図１及び図２は、本発明の第１の実施形態を示すものであり、有機ＥＬパネル１は、ガラス基板（支持基板）２と、透明電極（陽極電極）３と、絶縁層４と、有機層５と、背面電極（陰極電極）６と、封止部材７と、吸着部材８と、円偏光板（円偏光手段）９と、紫外線吸収板１０とから主に構成されている。
【００１６】
ガラス基板２は、長方形形状からなる透光性の支持基板である。
【００１７】
透明電極３は、ガラス基板２上にＩＴＯ等の導電性材料を蒸着法やスパッタリング法等の手段によって形成されるもので、日の字型の表示セグメント部３ａと、個々のセグメントからそれぞれ引き出し形成されたリード部３ｂと、リード部３ｂの終端部に設けられる電極部３ｃとを備えている。尚、電極部３ｃは、ガラス基板２の一辺に集中的に配設されている。
【００１８】
絶縁層４は、例えば、ポリイミド系等の絶縁材料からなり、例えばフォトリソグラフィー法等の手段によって形成される。絶縁層４は、表示セグメント部３ａに対応した窓部４ａと、背面電極６の後述する電極部に対応する切り欠き部４ｂとを有し、発光領域の輪郭を鮮明に表示するため、透明電極３の表示セグメント部３ａの周縁部と若干重なるように窓部４ａが形成され、また、透明電極３と背面電極６との絶縁を確保するためにリード部３ｂ上を覆うように配設される。
【００１９】
有機層５は、少なくとも発光層を有するものであれば良いが、本発明の実施の形態においては正孔注入層，正孔輸送層，発光層及び電子輸送層を蒸着法やスパッタリング法等の手段によって順次積層形成してなるものである。有機層５は、絶縁層４における窓部４ａの形成箇所に対応するように所定の大きさをもって配設される。
【００２０】
背面電極６は、アルミ（Al）やアルミリチウム（Al:Li），マグネシウム銀（Mg:Ag）等の金属性の導電性材料を蒸着法やスパッタリング法等の手段によって形成されるものであり、有機層５上に配設される。背面電極６は、透明電極３における各電極部３ｃと隣接するようにガラス基板２の一辺に設けられるリード部６ａと電気的に接続される。尚、リード部６ａの終端部には、電極部６ｂが設けられ、リード部６ａ及び電極部６ｂは透明電極３と同材料により形成される。
【００２１】
以上のように、ガラス基板２上に透明電極３と絶縁層４と有機層５と背面電極６とを順次積層し積層体を形成することで有機ＥＬ素子１１が得られる。
【００２２】
封止部材７は、例えばガラス材料からなる平板部材に凹部７ａを形成してなるものであり、凹部７ａを取り囲むように形成される支持部７ｂのガラス基板２との接合部７ｃに、紫外線硬化型エポキシ樹脂接着剤（紫外線硬化性接着剤）１２を所定量配設し、接合部７ｃをガラス基板２上に接合することで有機ＥＬ素子１１を収納する収納空間１３を気密的に封止する構成である。尚、封止部材７は、透明電極３の電極部３ｃ及び背面電極６の電極部６ｂが外部に露出するようにガラス基板２よりも若干小さめに構成されている。
【００２３】
吸湿部材８は、封止部材７の有機ＥＬ素子１１との対向面、即ち封止部材７の凹部７ａの底面に有機ＥＬ素子１１に離間する状態で配設される。吸着部材８は、活性アルミナ，モレキュラシーブス，酸化カルシウム及び酸化バリウム等の物理的あるいは化学的に水分を吸着する１０μｍ以下の吸着剤（固体の吸着剤）８ａを有するもので、吸着剤８ａが流動しない程度の粘性を有するクリーム状の部材である。
【００２４】
一方、ガラス基板２の表示光の出射面側には、円偏光板９と紫外線吸収部材１０とが順次配設されている。
【００２５】
円偏光板９は、直線偏光板と複屈折板（位相差板）とから構成され、ガラス基板２の表示光の出射面に貼着されている。ここで円偏光板９の作用について説明すると、ガラス基板２の表示光の出射面から入射される外来入射光は、前記直線偏光板を通過して縦方向の直線偏光となり、更に前記複屈折板を通過して左円偏光となる。そして、背面電極６により反射され右円偏光となり、前記複屈折板を通過して横方向の直線偏光となる。横方向の直線偏光は、縦方向に偏光軸を有する前記直線偏光板を通過することができない。従って、前記外来入射光が有機ＥＬ素子１１に入射し背面電極６により反射されても前記直線偏光板により遮られる。一方、表示光は前記直線偏光板により若干減光されるが、前記外来入射光が前記直線偏光板により遮られるため表示コントラストは高くなる。
【００２６】
紫外線吸収部材１０は、円偏光板９の表示光の出射面側に貼着されるものである。紫外線吸収部材１０は、ＰＥＴフィルムに紫外線（ＵＶ）吸収材をコートしたもので、例えば、富士写真フイルム（株）製，商品名UV GUARDが用いられる。この紫外線吸収部材１０の紫外線吸収特性は、４１０ｎｍ以下の放射エネルギー（可視光線領域＋紫外線領域）を１％以下に吸収するものである。尚、富士写真フイルム（株）製，商品名 シャープカットフィルタを用いることによって４５０ｎｍ以下の放射エネルギーを吸収することが可能となるが、有機ＥＬ素子１１からなる発光部からガラス基板２を通して照射される表示光の透過率を考慮すると、４１０ｎｍ以下の放射エネルギーを吸収可能とし、前記表示光の透過率を９０％以上確保できる紫外線吸収部材を用いることが望ましい。
【００２７】
また、他の紫外線吸収部材１０としては、ＰＥＴフィルムに紫外線吸収インク（塗布部材）を塗布してなるものがある。この場合の紫外線吸収インクとしては、十条ケミカル（株）製，商品名JELCON VA15Mを用い、紫外線吸収波特性は、３５０ｎｍ以下の放射エネルギー（紫外線領域）を１％以下に吸収するものである。
【００２８】
以上の各部によって有機ＥＬパネル１が構成される。かかる有機ＥＬパネル１は、ガラス基板２の表示光の出射面側に紫外線吸収部材１０を配設することに特徴とを有するものであり、発光部に悪影響を与える外来入射光を紫外線吸収部材１０によって吸収できるため、絶縁層４の変質によるガスや水分の発生を抑えることができ、長期使用において有機ＥＬ素子１１の輝度寿命の低下を抑制することが可能となる。
【００２９】
次に本発明の第２の実施形態について説明するが、前述した第１の実施形態と同一もしくは相当個所には同一符号を付してその詳細な説明は省く。
【００３０】
第２の実施形態における有機ＥＬパネル１が前記第１の実施形態の有機ＥＬパネル１と比べ異なる点は、紫外線吸収部材の構成にある。即ち、第２の実施形態における紫外線吸収部材は、水溶性アクリル系粘着剤中に紫外線吸収材を混合して円偏光板９を貼着する接着層１４によって構成するものである。
【００３１】
接着層１４は、例えば住友スリーエム（株）製，型式ＳＰ−７５３３の水溶性アクリル系粘着剤と、例えば住友化学工業（株）製，商品名スミソーブ２００や旭電化工業（株）製，商品名アデカスタ ＬＡ−３２の紫外線吸収材が用いられ、粘着剤中に所定分量の紫外線吸収材を混合することで得られるものである。
【００３２】
かかる第２の実施形態における有機ＥＬパネル１は、紫外線吸収部材を円偏光板９を貼着する接着層１４によって構成することから、専用の紫外線吸収部材が不要となるため、有機ＥＬパネル１の構成を複雑化することなく、有機ＥＬ素子１１の輝度寿命の低下を抑制することが可能となる。
【００３３】
尚、前述した各実施形態では円偏光板９を備える構成であったが、円偏光板９を備えない有機ＥＬパネル１においては、ガラス基板２の表示光の出射面に前述した紫外線吸収部材１０を直接貼着するものであっても良い。
【００３４】
また、前述した各実施形態では、セグメント表示型の有機ＥＬパネル１を例に挙げて説明したが、本発明にあっては、マトリクス状に配設した陽極線（陽極電極）と陰極線（陰極電極）の各交点位置に少なくとも発光層を含む有機層を挟持して、この各交点位置を画素として構成し、前記陽極線と前記陰極線の何れか一方を走査線とし、他方をドライブ線とし、走査線を所定の周期で走査しながら、前記走査と同期して所望のドライブ線に駆動源を接続することにより、走査線とドライブ線との交点位置にある有機層が発光するように構成されたドットマトリクス型有機ＥＬパネルを用いて良い。このようなドットマトリクス型有機ＥＬパネルは、ポリイミド系の絶縁材料からマトリクス状に配置された発光部に対応する矩形の開口を有する絶縁層をストライプ状の陽極線上に備え、また、前記絶縁層上にフェノール系の絶縁材料からなる前記陽極線と直交する方向に平行線状に設けられている逆台形上の壁部（リブ部）を備えている。従って、ドットマトリクス型有機ＥＬパネルに前述の紫外線吸収部材１０をガラス基板の表示光の出射面に設けることで、４１０ｎｍ以下の外来入射光が照射されることによる前記絶縁層及び前記壁部からのガスや水分の発生を防ぎ、長期使用において有機ＥＬ素子１１の輝度寿命の低下を抑制することが可能となる。
【００３５】
また、前述した各実施形態では、ガラス基板２の出射面全体に紫外線吸収部材１０，１４を形成するものであったが、有機ＥＬ素子によって構成される発光部（画素）への紫外線の照射及び回り込みが生じない大きさであれば、必ずしも全体を覆う必要はない。
【００３６】
また、前述した第１の実施形態では、ＰＥＴフィルムに紫外線吸収インクを塗布し、このフィルムをガラス基板の出射面に貼着するものであったが、本発明にあっては、ガラス基板２の出射面に前記紫外線吸収インクを直接塗布するものであっても良い。
【００３７】
また、前述した第１の実施形態では、円偏光板９上に紫外線吸収部材１０を配設するものであったが、本発明にあっては、ガラス基板２と円偏光板９との間に紫外線吸収部材１０を配設するものであっても良い。
【００３８】
【発明の効果】
本発明は、透光性の支持基板上に陽極電極，少なくとも発光層を有する有機層及び陰極電極を順次積層形成してなる有機ＥＬ素子から所定の発光部を構成する有機ＥＬパネルに関し、発光部に悪影響を与える外来入射光を吸収できるため、長期使用においても輝度寿命の低下を抑制することが可能となる。
【図面の簡単な説明】
【図１】本発明の第１の実施形態の有機ＥＬパネルを示す斜視図。
【図２】同上第１の実施形態の有機ＥＬパネルの要部断面図。
【図３】本発明の第２の実施形態の有機ＥＬパネルの要部断面図。
【符号の説明】
１  有機ＥＬパネル
２  ガラス基板（支持部材）
３  透明電極（陽極電極）
５  有機層
６  背面電極（陰極電極）
７  封止部材
９  円偏光板（円偏光手段）
１０  紫外線吸収部材
１１  有機ＥＬ素子
１４  接着層（紫外線吸収部材）
【図１】
2004199883.tif 000003
【図２】
2004199883.tif 000004
【図３】
2004199883.tif 000005